(57)【要約】【目的】  灯芯の燃焼による焼損が少なく、煤の発生による汚染を防止できる灯火装置の提供を目的とする。また、移動時等における可燃材漏れや、未使用時に可燃材の気化損の発生を防止できる灯火装置の提供を目的とする。【構成】  可燃材容器内の液状可燃材に一部が浸される無機繊維材の灯芯の燃焼部を挿通保持する灯芯保持部を可燃材容器の上部に設けた。直径が約５０μm〜０．０１μmの極細ガラス繊維などの無機繊維を束状に集合形成した灯芯を用いることによって、毛細管現象による、可燃材容器からの液状可燃材の吸い上げ性が良く、点灯時における燃料供給を十分に行って完全燃焼させ、煤を発生させない良好な灯火状態を継続させることができる。また、灯芯保持部に蓋材を密着状態で嵌着することによって、液状可燃材の液漏れ防止と、未使用時における気化損を生じないようにした。【選択図】  図２
2005327517.tif 000002
【特許請求の範囲】
【請求項１】
液状可燃材を収容する可燃材容器と、前記液状可燃材に一部が浸される無機繊維材の灯芯とからなり、前記灯芯の燃焼部を挿通保持する灯芯保持部を前記可燃材容器の上部に設けたことを特徴とする灯火装置。
【請求項２】
前記灯芯は、直径が約５０μm〜０．０１μmの極細無機繊維を多数集合させた無機繊維束から形成される請求項１に記載の灯火装置。
【請求項３】
前記灯芯は、前記極細無機繊維を１０３〜１０１０本／cm２の本数密度で束ねて構成される請求項１又は２に記載の灯火装置。
【請求項４】
前記無機繊維はガラス繊維で構成される請求項１〜３のいずれかに記載の灯火装置。
【請求項５】
前記液状可燃材は炎色剤を含む請求項１〜４のいずれかに記載の灯火装置。
【請求項６】
前記液状可燃材が食物オイルを主成分とし、かつ前記炎色剤が無機性炎色剤である請求項１〜５のいずれかに記載の灯火装置。
【請求項７】
前記灯芯保持部に密着状態で嵌着される蓋材を有する請求項１〜６のいずれかに記載の灯火装置。
【請求項８】
前記灯芯保持部の所定位置に狭窄部を形成し、前記蓋材が前記狭窄部に係合して脱蓋しないように構成される請求項１〜７のいずれかに記載の灯火装置。
【請求項９】
前記灯芯保持部を前記可燃材容器と一体に形成してなる請求項１〜８のいずれかに記載の灯火装置。
【請求項１０】
前記可燃材容器と別体に形成され、前記灯芯の燃焼部を挿通する貫通孔を備えた前記灯芯保持部を、前記可燃材容器の開口部周辺に着脱自在に取り付け、前記開口部及び前記貫通孔を通じて取り出された前記灯芯の燃焼部を前記灯芯保持部において保持する請求項１〜９のいずれかに記載の灯火装置。
【請求項１１】
前記灯芯保持部を覆う形状を備え、前記灯芯保持部上方から冠着して前記可燃材容器に載置されるキャップを有する請求項１〜１０のいずれか
に記載の灯火装置。
【請求項１２】
前記可燃材容器が所定の台座形状を有し、かつ前記キャップが前記可燃材容器に載置された状態で全体として所定の形態の造形物を形成してなる請求項１〜１１のいずれかに記載の灯火装置。
【発明の詳細な説明】
【技術分野】
【０００１】
本発明は、例えば仏壇の灯明、結婚式の灯火サービス等の冠婚葬祭、各種ショーの灯火演出や炎の照明等に用いる灯火装置に関する。
【背景技術】
【０００２】
この種の灯火装置として、例えば下記の特許文献１の実開昭６３−１７６２１０号公報に示されるように、アルコールランプの原理によって、燃焼用繊維芯の毛細管現象を利用して容器内の可燃液剤を吸い上げ、芯先端にて燃焼させる燃焼装置がある。図８は従来の燃焼装置を示す。図８の（８Ａ）に示すように、逆円錐形容器５０の中にエチレングリコール溶液５１が入れられている。不燃性導管５４の管中に収納された芯５２の下端５３が溶液５１に浸され、一方芯頭部５５が容器蓋５６より露出し、点火により炎５７のように灯る。この燃焼装置は溶液５１中に着色焔生成物質を含有させて着色炎を生じさせる場合に用いられる。図８の（８Ｂ）は溶液５１補給用の貯蔵ビン５８と、貯蔵ビン５８にテープ６０で貼付された貯蔵用芯５９を示す。
【０００３】
上記構成の燃焼装置には以下の問題があった。
特許文献１では、液剤の吸い上げ性の点で芯５２に麻類を使用しているが、麻類等の繊維を芯材に用いる場合、点火時に燃焼によって煤が発生し室内等が汚れるといった問題と、燃焼による焼損が大きい問題があった。例えば、綿、ペーパータオル類は吸い上げ性が麻類より劣るうえ、煤や焼損による消耗の問題も当然発生する。また、一般的な化繊類は煤の発生は比較的少ないけれど燃焼により溶解し縮まる性質があり灯芯材には適さない。特に、ガーゼ類は吸い上げ性の点はよいものの、燃焼中の焼損が激しく、先端が短い時間で炭化しやすい。燃焼による芯材の焼損が大きい場合には、常に新たな芯先端を露出させるための芯材移動機構を設ける必要があるため、装置構造が複雑化し好ましくない。
【０００４】
灯火装置は冠婚葬祭等の祭事やイベント用に使用され、必要に応じて移動や搬送が頻繁に行われるが、逆円錐形容器５０から芯頭部５５から露出したままになる、図８の（８Ａ）の灯火装置では、転倒や傾動によって溶液５１がこぼれ出るおそれがあった。このため、使用後に搬送するときなどは、図８の（８Ｂ）のような貯蔵ビン５９に溶液５１を移し変える手間を用していた。したがって、可燃性溶液を使用する灯火装置では、可燃性溶液を収納した状態での可搬性を確保するために、こぼれにくい安全性容器であることが重要になる。また、可燃性溶液は一般に揮発性を有するため、未使用時に図８の（８Ａ）のように芯頭部５５が開放されたまま放置されると溶液成分が気化しやすく、知らぬ間に減少してしまう問題があった。
【特許文献１】実開昭６３−１７６２１０
【発明の開示】
【発明が解決しようとする課題】
【０００５】
従って、本発明は、灯芯の燃焼による焼損が少なく、煤の発生による汚染を防止できる灯火装置の提供を第１の目的とする。また移動時等における可燃材漏れや、未使用時に可燃材の気化損の発生を防止できる灯火装置の提供を本発明の第２の目的とする。
【課題を解決するための手段】
【０００６】
本発明は上記課題を解決するためになされたものであり、本発明の第１の形態は、液状可燃材を収容する可燃材容器と、前記液状可燃材に一部が浸される無機繊維材の灯芯とからなり、前記灯芯の燃焼部を挿通保持する灯芯保持部を前記可燃材容器の上部に設けた灯火装置である。
【０００７】
本発明の第２の形態は、前記第１の形態において、前記灯芯は、直径が約５０μm〜０．０１μmの極細無機繊維を多数集合させた無機繊維束から形成される灯火装置である。
【０００８】
本発明の第３の形態は、前記第１又は第２の形態において、前記灯芯は、前記極細無機繊維を１０３〜１０１０本／cm２の本数密度で束ねて構成される灯火装置である。
【０００９】
本発明の第４の形態は、前記第１〜３いずれかの形態において、前記無機繊維はガラス繊維で構成される灯火装置である。
【００１０】
本発明の第５の形態は、前記第１〜４いずれかの形態において、前記液状可燃材は炎色剤を含む灯火装置である。
【００１１】
本発明の第６の形態は、前記第１〜５いずれかの形態において、前記液状可燃材が食物オイルを主成分とし、かつ前記炎色剤が無機性炎色剤である灯火装置である。
【００１２】
本発明の第７の形態は、前記第１〜６いずれかの形態において、前記灯芯保持部に密着状態で嵌着される蓋材を有する灯火装置である。
【００１３】
本発明の第８の形態は、前記第１〜第７のいずれかの形態において、前記灯芯保持部の所定位置に狭窄部を形成し、前記蓋材が前記狭窄部に係合して脱蓋しないように構成される灯火装置である。
【００１４】
本発明の第９の形態は、前記第１〜第８のいずれかの形態において、前記灯芯保持部を前記可燃材容器と一体に形成してなる灯火装置である。
【００１５】
本発明の第１０の形態は、前記第１〜第９のいずれかの形態において、前記可燃材容器と別体に形成され、前記灯芯の燃焼部を挿通する貫通孔を備えた前記灯芯保持部を、前記可燃材容器の開口部周辺に着脱自在に取り付け、前記開口部及び前記貫通孔を通じて取り出された前記灯芯の燃焼部を前記灯芯保持部において保持するようにした灯火装置である。  
【００１６】
本発明の第１１の形態は、前記第１〜第１０のいずれかの形態において、前記灯芯保持部を覆う形状を備え、前記灯芯保持部上方から冠着して前記可燃材容器に載置されるキャップを有する灯火装置である。  
【００１７】
本発明の第１２の形態は、前記第１〜第１１のいずれかの形態において、前記可燃材容器が所定の台座形状を有し、かつ前記キャップが前記可燃材容器に載置された状態で全体として所定の形態の造形物を形成してなる灯火装置である。
【発明の効果】
【００１８】
本発明の第１の形態によれば、液状可燃材を収容する可燃材容器と、前記液状可燃材に一部が浸される無機繊維材の灯芯とからなり、前記灯芯の燃焼部を挿通保持する灯芯保持部を前記可燃材容器の上部に設けたので、前記無機繊維材の灯芯による焼損が少なく、煤による汚染を防止することができる。
【００１９】
本発明の第２の形態によれば、直径が約５０μm〜０．０１μmの極細無機繊維を多数集合させた無機繊維束から形成される前記灯芯を用いるので、毛細管現象による、前記可燃材容器からの前記液状可燃材の吸い上げ性が良く、点灯時における燃料供給が十分に行って完全燃焼させ、煤を発生させない良好な灯火状態を継続させることができる。前記直径は５０μｍ〜０．０５μｍの範囲にあれば更に好ましく、１０μｍ〜０．１μｍの範囲であれば吸上力は最も好適になる。
【００２０】
本発明の第３の形態によれば、前記第１又は第２の形態において、前記極細無機繊維を１０３〜１０１０本／cm２の本数密度で束ねて構成され、前記極細無機繊維相互間の間隙が超微細となった前記灯芯を用いるので、毛細管現象による前記液状可燃材の吸い上げ性が極めて良く、点灯時における燃料供給を十分に行って完全燃焼させ、煤の発生もない良好な灯火状態を継続させることができる。前記本数密度は１０４〜１０９本／cm２であれば更に好ましく、１０５〜１０８本／cm２になると最も毛管現象を有効活用した灯芯を提供できる。
【００２１】
本発明の第４の形態によれば、前記第１〜３いずれかの形態において、前記無機繊維はガラス繊維で構成されるので、無機繊維材のうち比較的炭素含有成分の少ないガラス繊維の灯芯により、煤による汚染に対して極めて高い防止効果を奏する。
【００２２】
本発明の第５の形態によれば、前記第１〜４いずれかの形態において、前記液状可燃材は炎色剤を含むので、前記無機繊維材の灯芯により煤による汚染を防止して、前記液状可燃材に含有させた前記炎色剤による着色炎の灯火演出をより効果的に実施することができる。
【００２３】
本発明の第６の形態によれば、前記第１〜５いずれかの形態において、前記液状可燃材が食物オイルを主成分とし、かつ前記炎色剤が無機性炎色剤であるので、前記液状可燃材が一般のアルコール類と比較して炭素成分が少なく、また前記炎色剤も炭素成分が少ない無機性であり、前記液状可燃材及びそれに含有させた前記炎色剤の燃焼時に煤の発生が少なくなり、前記無機繊維材の灯芯による煤汚染防止効果に加えて、前記炎色剤による着色炎の灯火演出時の煤汚染をより一層防止することができる。
【００２４】
本発明の第７の形態によれば、前記第１〜６いずれかの形態において、前記灯芯保持部に密着状態で嵌着される蓋材を有するので、前記液状可燃材のいわゆる液漏れを防ぎ、また未使用時における前記液状可燃材の揮発成分の気化損も生じず、安全性が高く、かつ良好な省可燃材性を備えた灯火装置を提供することができる。
【００２５】
本発明の第８の形態によれば、前記第１〜第７のいずれかの形態において、前記灯芯保持部の所定位置に狭窄部を形成し、前記蓋材が前記狭窄部に係合して脱蓋しないように構成されるので、前記蓋材による上記の液漏れ及び気化損の防止効果に優れ、移動等において安全な可搬性を備えた灯火装置を提供することができる。
【００２６】
本発明の第９の形態によれば、前記第１〜第８のいずれかの形態において、前記灯芯保持部を前記可燃材容器と一体に形成してなるので、前記無機繊維材の灯芯の燃焼部を安定的に挿通保持できる灯芯保持部を前記可燃材容器の上部に形設した灯火装置の提供が可能となる。
【００２７】
本発明の第１０の形態によれば、前記第１〜第９のいずれかの形態において、前記可燃材容器と別体に形成され、前記灯芯の燃焼部を挿通する貫通孔を備えた前記灯芯保持部を、前記可燃材容器の開口部周辺に着脱自在に取り付け、前記開口部及び前記貫通孔を通じて取り出された前記灯芯の燃焼部を前記灯芯保持部において保持するようにしたので、使用時には前記灯芯保持部を装着して、前記無機繊維材の灯芯の燃焼部を挿通保持し、また前記可燃材容器への可燃材の補給時や清掃時等においては、前記灯芯保持部を脱離させて液補給や清掃作業を容易に行うことができる。
【００２８】
本発明の第１１及び第１２の形態によれば、前記第１〜第１０のいずれかの形態において、前記灯芯保持部を覆う形状を備え、前記灯芯保持部上方から冠着して前記可燃材容器に載置されるキャップを有するので、前記キャップを前記灯芯保持部上方から冠着することによって燃焼中の前記灯芯を消炎することができる。特に、第１２の形態によれば、前記可燃材容器が所定の台座形状を有し、かつ前記キャップが前記可燃材容器に載置された状態で全体として所定の形態の造形物を形成するため、消炎後の未使用状態において前記可燃材容器と、前記灯芯保持部上方から冠着した前記キャップとが意匠性あるいは装飾性のある形態を構成させるなどして、置物や飾り物として機能させ、灯火装置として未使用状態でも展示物、インテリア用品などの装飾物に転用使用できるといった、用途性の拡大を図ることができる。
【発明を実施するための最良の形態】
【００２９】
以下に、本発明にかかる灯火装置の実施形態を添付する図面を参照して詳細に説明する。
【００３０】
図１〜図３は本発明の一実施形態である灯火装置を示す。この灯火装置は鱗状又は葉状に重なった模様を造形した、可燃オイル５を収容するオイル容器1と、オイル容器1の上部に被せられる消炎用球形キャップ４からなる。オイル容器1は中空内部に可燃オイル５を収容する収容部２を有し、底部に一体形成した台座部３を備える。オイル容器1の上部には平坦部６が形成され、平坦部６の中央にオイル注入口７が開口されている。オイル注入口７にはオイル容器1と別体の灯芯保持部９が取り付けられている。
【００３１】
灯芯保持部９は全体として筒状の中空形状を有し、下部に平坦部６に載置するための段差部１０が一体に形成されている。段差部１０をオイル注入口７周辺の平坦部６上に載置することによって灯芯保持部９がオイル容器1に着脱自在に取り付けられる。灯芯保持部９の中空孔１４は灯芯８の外径程度の細孔であり、オイル注入が一度に行いにくいが、灯芯保持部９をオイル容器1から脱離させることによって、オイル注入口７が開放され、楽にオイル補給を行え、また容器内部の清掃作業も簡易に行うことができる。灯芯保持部９の中空孔１４は内部を挿通される灯芯８を密着保持する内径を備え、灯芯８保持の役目を担う。灯芯８の装着は、下端側がオイル容器1内の可燃オイル５に浸漬され、他端側の頭芯１３がオイル注入口７及び灯芯保持部９の中空孔１４を挿通し露出して行われる。
【００３２】
灯芯保持部９の上端面より下側に径小の狭窄部１１が形成されている。合成ゴムやウレタンなどの可撓性樹脂蓋材１２は灯芯保持部９外径より小さい内径を備えた有底円筒状を有し、灯芯保持部９の上端部分に密着して被せて使用される。狭窄部１１は蓋材１２の嵌着状態を保持し、蓋材１２の抜け止めの役目をする。つまり、蓋材１２と狭窄部１１との係合による脱蓋防止作用によって、例えば、未使用時に搬送する際、頭芯１３側からのオイル漏れを防ぐことができる。しかも、蓋材１２の密封作用によって、未使用のまま放置した状態でもオイルの揮発成分が消散気化するのを防ぐことができる。図２は蓋材１２を装着した未使用状態を示し、使用する際には図３に示すように蓋材１２を取り外し、頭芯１３を開放して露出状態とし点火可能になる。
【００３３】
キャップ４は平坦底部を備えた中空の略球形状を有する。頭芯１３が燃焼中のとき、キャップ４の平坦底部の開口部１５が灯芯保持部９を覆うように、キャップ４を平坦部６に載置することによって、頭芯１３の周りの空気を遮断し消炎することができる。蓋材１２を嵌着し、キャップ４を平坦部６に載置した図２の状態が可燃オイル５の充填状態で搬送可能な密閉形態であり、この形態を維持する限り、オイル漏れを生じず、また揮発成分の消散も生じない。しかも、このキャップ４を被せた冠着状態においては、鱗状又は葉状に重なった模様を造形したオイル容器1に球形物を載せた勾玉イメージの造形物を具現化し、意匠性又は装飾性に富んだ、インテリアや置物としても使用できる形態であり、容器としても無駄にならない使用用途の広い灯火装置を提供することが可能となる。なお、オイル容器1、キャップ４及び灯芯保持部９は陶磁器製である。これらの一部もしくは全部をアルミ合金や真鍮等の金属や耐熱性樹脂で形成してもよい。
【００３４】
可燃オイル５は食物オイルを主成分とし、その他に単一種もしくは複数種の炎色性発色物質（炎色剤）が含有されている。赤色火炎の発現に適した炎色性発色物質としては、リチウムアセテート、リチウムアセトアセテート等のリチウム（Ｌithium）塩類や、ストロンチウムアセテート、ストロンチウムアセチルアセトネート等のストロンチウム（Ｓtrontium）塩類、あるいはこれらの混合塩を用いる。同様に、緑色発色物質として硼酸を用いる。青色発色物質として銅アセテート、水酸化銅等の銅塩を用いる。オレンジ色発色物質として、硼砂と、塩化ナトリウム、シアン化ナトリウム、消散ナトリウムなどのナトリウム物質とを混合して用いる。黄色火炎用物質として、バリウムアセテート、バリウムクロライド等のバリウム（Ｂarium）塩類と、カルシウムアセテートハイドレート、カルシウムサルフェート等のカルシウム（Ｃalcium）塩類との混合物を用いる。紫色発色物質として、セリウムアセテートハイドレート、セリウムニトレート等のセリウム（Ｃerium）塩類と、塩素酸カリウム、シアン化カリウム等のカリウム（Ｐotasisum）塩類との混合物を用いる。これらの発色物質は主成分オイルに対して概ね０．０３〜０．１重量％の比率で含有される。
【００３５】
上記のように、可燃オイル５は食物オイルを主成分としているため、一般のアルコール類と比較して炭素成分が少なく、燃焼時の煤の発生が極めて少ない。また、上記の炎色剤も炭素成分が少ない無機性であり、燃焼時の煤の発生が極めて少ない。したがって、本実施形態における可燃オイル５は優れた煤汚染防止効果を有する。
【００３６】
灯芯８は直径が平均約１μmの極細ガラス繊維を多数集合させたガラス繊維束からなり、その極細ガラス繊維を１０５本／cm２の本数密度で束ねて構成されている。ガラス繊維の灯芯８は、無機繊維材のうち比較的炭素含有成分の少ないため、燃焼時の煤による汚染に対して極めて高い防止効果を奏する。しかも、このような極細ガラス繊維束を使用した灯芯８によって、毛細管現象による、オイル容器1からの可燃オイル５及び含有炎色剤の吸い上げ性が良く、点灯時における燃料供給が十分に行って完全燃焼させ、煤の発生が殆ど皆無に近い状態で良好な有色灯火状態を継続させることができる。なお、極細ガラス繊維を１０３〜１０１０本／cm２の本数密度の範囲では極細ガラス繊維相互間の間隙が超微細となり、その範囲で束ねて構成するのが好ましい。なお、灯芯８にはガラス繊維の他、炭素繊維やボロン繊維を用いても同様に良好なオイル吸い上げ性と煤の発生の少ない効果を得ることができる。また、本発明にかかる灯芯用無機繊維材には直径が約５０μm〜０．０１μmの極細無機繊維を使用することができる。
【００３７】
上記実施形態ではオイル容器1に着脱自在に取り付けられる灯芯保持部９を用いているが、灯芯保持部９をオイル容器1と一体形成してもよい。図４〜図６にその構造例を示す。なお、以下の説明において、図１〜図３と同様の部材については同様の名称を付して説明を省略する。
【００３８】
この灯火装置は蓮の葉状の模様を造形した可燃オイル５を収容する収容部２２を有するオイル容器２1と、オイル容器２１の上部に被せられる消炎用蓮の花形キャップ２４からなる。オイル容器２１は中空内部に可燃オイル５を収容する空間を有し、底部に一体形成した台座部２３を備える。オイル容器２1の上部には平坦部２６が形成され、平坦部２６の中央に灯芯保持部２７が一体に突出形成されている。灯芯保持部２７は全体として筒状の中空形状を有し、オイル注入口兼灯芯８の挿通孔２８が貫通形成されている。灯芯保持部２７の上端面より下側に径小の狭窄部２９が形成されている。灯芯保持部２７の外径は可撓性樹脂蓋材１２の内径より大きく、灯芯保持部９の上端部分で被せられた製蓋材１２を密着保持する。狭窄部２９は上記狭窄部１１と同様に、蓋材１２の密着状態を保持し、蓋材１２の抜け止めの役目をする。図５は蓋材１２を装着した未使用状態を示し、使用する際には図６に示すように蓋材１２を取り外し、頭芯１３を開放して露出状態とし点火可能になる。キャップ２４は平坦底部を備えた中空の変形円錐形状を有する。頭芯１３が燃焼中のとき、キャップ２４の平坦底部の開口部２５が灯芯保持部２７を覆うように、キャップ２４を平坦部２６に載置することによって、頭芯１３の周りの空気を遮断し消炎することができる。蓋材１２を装着し、キャップ２４を平坦部２６に載置した図２の状態が可燃オイル５の充填状態で搬送可能な密閉形態であり、転倒したり逆さになっても、オイル漏れを生じず、また揮発成分の消散も生じない。また、この実施形態においても、蓮の花形キャップ２４を被せた冠着状態においては、全体として蓮の葉の上に蓮の花が咲いているイメージの造形物を具現化し、仏具等の葬祭用具に適した形態であり、灯火機能以外にも使用できる灯火装置を提供することが可能となる。
【００３９】
図７は本発明のさらに別の実施形態である、結婚式の披露宴などのキャンドルサービスなどに最適な灯火装置を示す。この灯火装置は円筒形状の可燃オイル５を収容するオイル容器３１と、オイル容器３１の上部に被せられる円筒形状のキャップ３０からなる。オイル容器３１は中空内部に可燃オイル５を収容する空間を有する。オイル容器３1の上部には別体の灯芯保持部３２が取り付けられる平坦部３５が形成され、平坦部３５の中央にオイル注入口３８が開口形成されている。灯芯保持部３２は全体として筒状の中空形状を有し、灯芯８（図面上省略）の挿通孔３７が貫通形成されている。灯芯保持部３２の上端面より下側に径小の狭窄部３４が形成されている。灯芯保持部３２の外径は可撓性樹脂蓋材１２の内径より大きく、灯芯保持部３２の上端部分で被せられた蓋材３３を密着保持する。狭窄部３４は上記狭窄部１１、２９と同様に、蓋材３３の嵌着状態を保持し、蓋材１２の抜け止めの役目をする。キャップ３０とオイル容器３１とが同径の外形状を有し、キャップ３０をオイル容器３１に被せた冠着状態においては、全体としてひとつのキャンドルイメージの円筒物となり、キャンドルサービスに利用したり結婚式の引き出物などに供することができる形態を備える。
【００４０】
本発明は上記実施形態に限定されるものではなく、本発明の技術的思想を逸脱しない範囲における種々の変形例、設計変更などをその技術的範囲内に包含することは云うまでもない。
【産業上の利用可能性】
【００４１】
第１の形態の発明によれば、前記無機繊維材の灯芯により焼損が少なく、煤による汚染を防止することができる。
【００４２】
第２の形態の発明によれば、直径が約５０μm〜０．０１μmの極細無機繊維を多数集合させた無機繊維束から形成される前記灯芯を用いて、前記液状可燃材の吸い上げ性が良く、点灯時における燃料供給が十分に行って完全燃焼させ、煤の発生もない良好な灯火状態を継続させることができる。
【００４３】
第３の形態の発明によれば、前記第１又は第２の形態において、前記極細無機繊維を１０３〜１０１０本／cm２の本数密度で束ねて構成され、前記極細無機繊維相互間の間隙が超微細となった前記灯芯を用いて、煤の発生のない良好な灯火状態を継続させることができる灯火装置を提供することができる。
【００４４】
第４の形態の発明によれば、前記第１〜３いずれかの形態において、前記無機繊維はガラス繊維で構成されるので、比較的炭素含有成分の少ないガラス繊維の灯芯により、煤汚染防止効果の高い灯火装置を提供することができる。
【００４５】
第５の形態の発明によれば、前記第１〜４いずれかの形態において、前記無機繊維材の灯芯により煤汚染を防止して、前記炎色剤による着色炎の灯火演出をより効果的に実施することができる。
【００４６】
第６の形態の発明によれば、前記第１〜５いずれかの形態において、食物オイルを主成分とする前記液状可燃材を用い、かつ無機性炎色剤を含有させ、前記無機繊維材の灯芯による煤汚染防止効果に加えて、前記炎色剤による着色炎の灯火演出時の煤汚染をより一層防止可能な灯火装置を提供することができる。
【００４７】
第７の形態の発明によれば、前記第１〜６いずれかの形態において、前記灯芯保持部に蓋材を密着状態で嵌着するので、前記液状可燃材の液漏れを防ぎ、また未使用時における前記液状可燃材の揮発成分の気化損も生じず、安全性が高く、かつ良好な省可燃材性を備えた灯火装置を提供することができる。
【００４８】
第８の形態の発明によれば、前記第１〜第７のいずれかの形態において、前記灯芯保持部の所定位置に形成した前記狭窄部に前記蓋材を係合させ脱蓋しないようにしたので、前記液状可燃材の液漏れ及び気化損の防止効果に優れ、移動等において安全な可搬性を備えた灯火装置を提供することができる。
【００４９】
本発明の第９の形態によれば、前記第１〜第８のいずれかの形態において、前記灯芯保持部を前記可燃材容器と一体に形成して、前記無機繊維材の灯芯の燃焼部を安定的に挿通保持できる灯火装置を提供することができる。
【００５０】
本発明の第１０の形態によれば、前記第１〜第９のいずれかの形態において、前記可燃材容器と別体に形成され前記灯芯保持部を、前記可燃材容器の開口部周辺に着脱自在に取り付けたので、使用時には前記灯芯保持部を装着して前記無機繊維材の灯芯の燃焼部を挿通保持し、また前記可燃材容器への可燃材の補給時や清掃時等においては、前記灯芯保持部を脱離させて液補給や清掃作業を容易に行うことができる灯火装置を提供することができる。
【００５１】
本発明の第１１及び第１２の形態によれば、前記第１〜第１０のいずれかの形態において、前記灯芯保持部上方から冠着して前記可燃材容器に載置されるキャップを前記灯芯保持部上方から冠着することによって燃焼中の前記灯芯を消炎することができる。特に、第１２の形態によれば、前記キャップが前記可燃材容器に載置された状態で全体として所定の形態の造形物を形成し、意匠性あるいは装飾性のある形態を構成させるなどして、置物や飾り物等の装飾物にも転用可能な広い用途性を具備した灯火装置を提供することができる。
【図面の簡単な説明】
【００５２】
【図１】本発明の一実施形態である灯火装置の正面図である。
【図２】図１の灯火装置の縦断面図である。
【図３】図１の灯火装置の使用状態を示す外観斜視図である。
【図４】本発明の別の実施形態である灯火装置の正面図である。
【図５】図４の灯火装置の縦断面図である。
【図６】図４の灯火装置の使用状態を示す外観斜視図である。
【図７】本発明のさらに別の実施形態である灯火装置の部分縦断面図である。
【図８】従来の灯火装置の外観斜視図である。
【符号の説明】
【００５３】
１      オイル容器
２      収容部
３      台座部
４      キャップ
５      可燃オイル
６      平坦部
７      オイル注入口
８      灯芯
９      灯芯保持部
１０    段差部
１１    狭窄部
１２    可撓性樹脂蓋材
１３    頭芯
１４    中空孔
１５    開口部
２１    オイル容器
２２    収容部
２３    台座部
２４    キャップ
２５    開口部
２６    平坦部
２７    灯芯保持部
２８    挿通孔
２９    狭窄部
３０    キャップ
３１    オイル容器
３２    灯芯保持部
３３    蓋材
３４    狭窄部
３５    平坦部
３７    挿通孔
３８    オイル注入口
５０    容器
５１    エチレングリコール溶液
５２    芯
５３    （芯５２の）下端
５４    不燃性導管
５５    芯頭部５５
５６    容器蓋
５７    炎
５８    貯蔵ビン
５９    貯蔵用芯
６０    テープ６０
【図１】
2005327517.tif 000003
【図２】
2005327517.tif 000004
【図３】
2005327517.tif 000005
【図４】
2005327517.tif 000006
【図５】
2005327517.tif 000007
【図６】
2005327517.tif 000008
【図７】
2005327517.tif 000009
【図８】
2005327517.tif 000010